(57)【要約】      （修正有）【課題】多方向から支持することができる便利な支持部材及び支持部材を有する血圧計を提供する。【解決手段】血圧計はケース及び支持部材を備え、支持部材１００は、支持部１０、弾性部材３０及び回転軸２０を備え、支持部は、回転軸を介してケース２００と回転可能に接続され、弾性部材の両端は、ケースに固定され、且つ支持部におけるケースと隣接している一端部を覆い、弾性部材には、複数の限定溝が設けられ、複数の限定溝は、弾性部材を複数の限定部に分割し、支持部は複数の限定部と接触して、複数の異なる支持角度で固定される。【選択図】図４
0003202885.tif 000002
【実用新案登録請求の範囲】
【請求項１】
支持部及び回転軸を備え、前記支持部は、前記回転軸を介して物品のケースと回転可能に接続する支持部材において、
前記支持部材は、弾性部材を備え、前記弾性部材の両端は、前記ケースに固定され、且つ前記支持部における前記ケースと隣接している一端部を覆い、前記弾性部材には、複数の限定溝が設けられ、前記複数の限定溝は、前記弾性部材を複数の限定部に分割し、前記支持部は前記複数の限定部と接触して、複数の異なる支持角度で固定されることを特徴とする支持部材。
【請求項２】
前記支持部の端部は、円弧端面であり、前記円弧端面は、前記弾性部材のある１つの前記限定部と接触する際、前記限定部は、前記支持部の端部の接触によって変形されて前記端部と組み合い、且つ前記支持部がある１つの支持角度で固定されることを特徴とする請求項１に記載の支持部材。
【請求項３】
前記支持部の１つの端部は、前記ケースに設けられた第一貫通孔を通過し、前記端部には、第二貫通孔が設けられ、前記回転軸は、前記第二貫通孔を通過し、且つ前記支持部が前記ケースの側壁に対向して設けられた第三貫通孔の間に回転可能に設置されることを特徴とする請求項１に記載の支持部材。
【請求項４】
ケース及び支持部材を備え、前記支持部材は、支持部及び回転軸を備え、前記支持部は、前記回転軸を介して前記ケースと回転可能に接続される血圧計において、
前記支持部材は、弾性部材を備え、前記弾性部材の両端は、前記ケースに固定され、且つ前記支持部における前記ケースと隣接している一端部を覆い、前記弾性部材には、複数の限定溝が設けられ、前記複数の限定溝は、前記弾性部材を複数の限定部に分割し、前記支持部は、前記複数の限定部と接触して、複数の異なる支持角度で固定されることを特徴とする支持部材。
【請求項５】
前記支持部の端部は、円弧端面であり、前記円弧端面は、前記弾性部材のある１つの前記限定部と接触する際、前記限定部は、前記支持部の端部の接触によって変形されて前記端部と組み合い、且つ前記支持部がある１つの支持角度で固定されることを特徴とする請求項４に記載の支持部材。
【請求項６】
前記支持部の１つの端部は、前記ケースに設けられた第一貫通孔を通過し、前記端部には、第二貫通孔が設けられ、前記回転軸は、前記第二貫通孔を通過し、且つ前記支持部が前記ケースの側壁に対向して設けられた第三貫通孔の間に回転可能に設置されることを特徴とする請求項４に記載の支持部材。
【考案の詳細な説明】
【技術分野】
【０００１】
本考案は、支持部材に関し、特に支持部材を有する血圧計に関するものである。
【背景技術】
【０００２】
従来の支持部材は、物を支持する際、単一な方向にしか調節できないので、柔軟性に乏しく支持部材を多方向に動かす要求を満たせない。例えば、血圧計を使用して血圧を測定する際、血圧計に表示された血圧測定数値を多角度から見ることができないので不便である。
【考案の概要】
【考案が解決しようとする課題】
【０００３】
以上の問題点に鑑みて、本考案は、多方向から支持することができる支持部材及び支持部材を有する血圧計を提供することを目的とする。
【課題を解決するための手段】
【０００４】
上記の課題を解決するために、本考案の支持部材は、支持部、弾性部材及び回転軸を備え、支持部は、回転軸を介して物品のケースと回転可能に接続され、弾性部材の両端は、ケースに固定され、且つ支持部におけるケースと隣接している一端部を覆い、弾性部材には、複数の限定溝が設けられ、複数の限定溝は、弾性部材を複数の限定部に分割し、支持部は、複数の限定部と接触して、複数の異なる支持角度で固定される。
【０００５】
上記の課題を解決するために、本考案の血圧計は、ケース及び支持部材を備え、支持部材は、支持部、弾性部材及び回転軸を備え、支持部は、回転軸を介してケースと回転可能に接続し、弾性部材の両端は、ケースに固定し、且つ支持部におけるケースと隣接している一端部を覆い、弾性部材には、複数の限定溝が設けられ、複数の限定溝は、弾性部材を複数の限定部に分割し、支持部は複数の限定部と接触して、複数の異なる支持角度で固定される。
【考案の効果】
【０００６】
本考案の支持部材は、支持部と異なる複数の限定部とが組み合って、支持部を異なる支持角度に固定できるため支持部材の柔軟性を向上させ、使用に便利である。
【図面の簡単な説明】
【０００７】
【図１】本考案の実施例に係る血圧計の斜視図である。
【図２】図１に示した血圧計の分解斜視図である。
【図３】図１に示した血圧計のＩＩＩ−ＩＩＩ線に沿う断面図である。
【図４】図３に示した血圧計の使用状態図である。
【図５】図４に示した血圧計の別の使用状態図である。
【考案を実施するための形態】
【０００８】
図１〜図３に示したように、実施形態に係る支持部材１００は、血圧計１を多方向から支持する。支持部材１００は、支持部１０、回転軸２０及び弾性部材３０を備える。支持部１０は、回転軸２０を介して血圧計１のケース２００と回転可能に接続されて血圧計１を支持する。具体的には、ケース２００には、第一貫通孔２０１が設けられ、第一貫通孔２０１に対向して位置する側壁２０２上には、対向する第三貫通孔２０３が設けられている。支持部１０の一端は、第一貫通孔２０１が貫通する。また、支持部１０の端部１０１には、第二貫通孔１０２が設けられている。第二貫通孔１０２は、第三貫通孔２０３と対応設置されて連通する。これにより、回転軸２０は、第二貫通孔１０２及び第三貫通孔２０３を通過し、支持部１０は回転可能にケース２００の２つの側壁２０２の間に設置される。支持部１０は、独立して物を支持することができ、或いはケース２００と組み合わさって物を支持することができる。本実施形態において、支持部１０は、ケース２００と組み合わさって物を支持する（図４を参考）。
【０００９】
回転軸２０は、支持部１０とケース２００とを回転可能に接続させるために用いられる。回転軸２０は、止め部２１及び回転部２２を備える。止め部２１及び回転部２２は、着脱可能に接続され、或いは一体的に成形される。本実施形態において、止め部２１及び回転部２２は一体的に成形される。止め部２１の直径は、第三貫通孔２０３の直径より大きく、回転部２２の直径は、第三貫通孔２０３の直径より小さい。組み立てる際、回転軸２０の回転部２２は、側壁２０２の１つの第三貫通孔２０３、支持部１０の２つの第二貫通孔１０２及び対向するもう１つの第三貫通孔２０３の順に通過する。この時、止め部２１は、１つの第三貫通孔２０３の外部に位置し、且つ側壁２０２と接触し、支持部１０は、ケース２００と回転可能に接続する。他の実施形態において、回転部２２における止め部２１と離れている一端の外表面には、ネジ部（図示せず）が設けられ、対向するもう１つの第三貫通孔２０３の内表面には、該ネジ部と組み合うネジ溝（図示せず）が設けられ、止め部２１の一端が回転しながら１つの第三貫通孔２０３の内表面のネジ溝に挿入接続される。これにより、支持部１０は、ケース２００と回転可能に接続される。
【００１０】
弾性部材３０の両端は、ケース２００の第一貫通孔２０１の両側にそれぞれ固定され、且つ支持部１０におけるケース２００と隣接する端部１０１を覆う。また弾性部材３０には、複数の限定溝３０１が設けられており、複数の限定溝３０１は、弾性部材３０を複数の限定部３０２に分割している。故に支持部１０を複数の異なる支持角度に固定させることができる。
【００１１】
具体的には、弾性部材３０の両端には、少なくとも１つの第四貫通孔３０３がそれぞれ設けられ、ケース２００には、第四貫通孔３０３と組み合うネジ孔２０４が設けられている。弾性部材３０の両端を、ネジ３０４をそれぞれ弾性部材３０の第四貫通孔３０３に貫通させた後、ネジ孔２０４に固定させる。これにより、弾性部材３０は、ケース２００に固定される。本実施形態において、弾性部材３０の両端には、それぞれ２つの第四貫通孔３０３が設けられている。
【００１２】
支持部１０の端部１０１は、円弧端面であり、弾性部材３０は、弾性材料から製造される。例えば、弾性の金属の薄片、或いはゴム等から製造されるため、限定部３０２は支持部１０と共に回転する際に変形することができる。図４に示したように、支持部１０の端部１０１が弾性部材３０のある１つの限定部３０２に位置する際、限定部３０２は支持部１０の接触によって変形して端部１０１の円弧端面を覆い、支持部１０はある１つの支持角度に固定される。図５に示したように、支持部１０を回転させる際、支持部１０の端部１０１をもう１つの限定部３０２に挿入する。この際、該限定部３０２は変形して端部１０１の円弧端面を覆い、支持部１０はもう１つの支持角度に固定される。
【００１３】
支持部材１００の位置及び数量は、実際の要求によって設定できる。本実施形態において、支持部材１００の数量は２つであり、２つの支持部材１００の支持部１０の一端は互いに接続されて１つの把持部４０（図２を参考）を形成する。従って、使用者は、この把持部４０を持って支持部１０を回転させることができるため使用に便利である。
【００１４】
本考案の支持部材１００は、支持部１０を異なる支持角度に固定できるため、使用の柔軟性を向上させることができる。
【００１５】
また他の実施形態において、支持部材１００が支持する物品は血圧計１に限定されず、実際の要求によって他の物品を支持することもできる。
【符号の説明】
【００１６】
１  血圧計
１００  支持部材
１０  支持部
１０１  端部
１０２  第二貫通孔
２０  回転軸
２１  止め部
２２  回転部
３０  弾性部材
３０１  限定溝
３０２  限定部
３０３  第四貫通孔
３０４  ネジ
４０  把持部
２００  ケース
２０１  第一貫通孔
２０２  側壁
２０３  第三貫通孔
２０４  ネジ孔
【図１】
0003202885.tif 000003
【図２】
0003202885.tif 000004
【図３】
0003202885.tif 000005
【図４】
0003202885.tif 000006
【図５】
0003202885.tif 000007